(57)【要約】【課題】簡易な構成で、互いに異なる画像を複数の方向に表示することができる液晶表示装置及びそれを備えた電子機器等を提供する。【解決手段】光透過型の液晶表示パネル５１並びに２つの光源５５及び５６が設けられており、一画素毎に、２つのプリズム５２及び５３、並びに２つの反射板５９及び６０が設けられている。プリズム５２は、反射板５９により反射されカラーフィルタ５４を透過してきた光を、液晶表示パネル５１の表示面に垂直な方向から傾斜した方向Ａに向けて屈折させる。プリズム５３は、反射板６０により反射されカラーフィルタ５４を透過してきた光を、液晶表示パネル５１の表示面に垂直な方向から傾斜した方向Ｂに向けて屈折させる。更に、光源５５を制御する光源駆動回路５７、光源５６を制御する光源駆動回路５８、及び液晶表示パネル５１を駆動する液晶ドライバ回路６１が設けられている。【選択図】図２
2009271440.tif 000002
【特許請求の範囲】
【請求項１】
複数の画素を有する光透過型の液晶表示手段と、
複数の光照射手段と、
前記液晶表示手段における１つの画素に複数対応付けられ、前記複数の光照射手段からの光を互いに異なる方向に屈折させて前記１つの画素に照射する複数の光屈折手段と、
前記光照射手段の点灯と消灯を制御する光照射制御手段と、
を有することを特徴とする液晶表示装置。
【請求項２】
前記液晶表示手段を駆動する駆動手段を有し、
前記光照射制御手段は、前記駆動手段の動作に同期して前記複数の光照射手段の制御を行うことを特徴とする請求項１に記載の液晶表示装置。
【請求項３】
前記駆動手段が複数の画像データに基づいて前記液晶表示手段を駆動する場合、
前記駆動手段は、前記複数の画像データのうちで前記液晶表示手段の駆動に用いるものを順次切り替え、
前記光照射手段は、前記複数の光照射手段のうちで点灯させるものを順次切り替えることを特徴とする請求項２に記載の液晶表示装置。
【請求項４】
前記複数の画像データとして、１つの画像データと、この画像データを回転させて得られる１つ以上の画像データと、を用いることを特徴とする請求項３に記載の液晶表示装置。
【請求項５】
前記複数の画像データとして、１つの画像データと、この画像データを１８０°回転させて得られる画像データと、を用いることを特徴とする請求項３に記載の液晶表示装置。
【請求項６】
請求項１乃至５のいずれか１項に記載の液晶表示装置を含むことを特徴とする電子機器。
【請求項７】
撮像手段と、
前記撮像手段により撮像された画像を表示する画像表示手段と、
を有し、
前記画像表示手段は、請求項１乃至５のいずれか１項に記載の液晶表示装置を含むことを特徴とする撮像装置。
【請求項８】
複数の画素を有する光透過型の液晶表示手段と、
複数の光照射手段と、
前記液晶表示手段における１つの画素に複数対応付けられ、前記複数の光照射手段からの光を互いに異なる方向に屈折させて前記１つの画素に照射する複数の光屈折手段と、
前記液晶表示手段を駆動する駆動手段と、
を有する液晶表示装置を制御する方法であって、
前記駆動手段の動作に同期して前記複数の光照射手段の点灯と消灯を制御する工程を有することを特徴とする液晶表示装置の制御方法。
【請求項９】
複数の画素を有する光透過型の液晶表示手段と、
複数の光照射手段と、
前記液晶表示手段における１つの画素に複数対応付けられ、前記複数の光照射手段からの光を互いに異なる方向に屈折させて前記１つの画素に照射する複数の光屈折手段と、
前記液晶表示手段を駆動する駆動手段と、
を有する液晶表示装置の制御をコンピュータに行わせるためのプログラムであって、
前記コンピュータに、前記駆動手段の動作に同期して前記複数の光照射手段の点灯と消灯を制御する工程を実行させることを特徴とするプログラム。
【発明の詳細な説明】
【技術分野】
【０００１】
本発明は、複数の画像の表示が可能な液晶表示装置及びそれを備えた電子機器等に関する。
【背景技術】
【０００２】
従来、カメラ等に具備される液晶表示装置では、一つの画像が複数人によって種々の方向から同時に視認されることがある。このような場合、ある方向から視認している人には見やすい画像であっても、他の方向から視認している人には天地逆転等の理由により見にくい画像となっていることがある。
【０００３】
なお、立体映像の表示等に関し、複数の方向に互いにずれた画像を表示する技術は、特許文献１及び２等に記載されている。
【０００４】
特許文献１には、液晶表示装置の広視野角化及び映像の立体化のための技術が記載されている。この技術では、バックライトからマイクロプリズムに一様に光を照射し、マイクロプリズムにおける光の屈折を利用している。
【０００５】
特許文献２には、投影型立体表示装置に関する技術が記載されている。この技術では、液晶偏光スイッチを用いて、左目用の画像信号及び右目用の画像信号に同期して出射する光の偏光方向を制御している。また、偏光板列を備えたレンチキュラスクリーンを用いて、左目用の画像及び右目用の画像を互いに空間的に分離している。
【０００６】
【特許文献１】特開平７−２０４５３号公報
【特許文献２】特開平９−１５９９７１号公報
【発明の開示】
【発明が解決しようとする課題】
【０００７】
特許文献１に記載の技術では、図１３に示すように、液晶表示パネル７１と光源７５との間にカラーフィルタ７４が配置されており、液晶表示パネル７１の出射側に、一画素毎に、２つのプリズム７２及び７３が設けられている。このため、方向Ａにある画像を表示させようとした時には、必然的に方向Ｂにも当該画像が少なからず表示されてしまう。同様に、方向Ｂにある画像を表示させようとした時には、必然的に方向Ａにも当該画像が少なからず表示されてしまう。つまり、この従来の技術では、画像の混在が生じてしまう。また、立体画像表示の際には隣り合う画素間で方向Ａ用の画像と方向Ｂ用の画像とに分解しているため、水平解像度が１／２になってしまう。
【０００８】
また、特許文献２に記載の技術では、液晶偏向スイッチ及びレンチキュラスクリーンが必要なため、複雑な構成となり、実現のためのコストが著しく高くなる。また、偏光板列を構成する液晶偏向板の光透過効率は低いため、透過型光源の輝度を上げなければならない。通常、光源として白色ダイオードが用いられるが、輝度の向上のためにはダイオードに流す電流を上げる必要があり、この結果、消費電力の増大という問題が生じる。
【０００９】
本発明は、高い水平解像度を確保しながら、簡易な構成で、互いに異なる画像を複数の方向に表示することができる液晶表示装置及びそれを備えた電子機器等を提供することを目的とする。
【課題を解決するための手段】
【００１０】
本願発明者は、前記課題を解決すべく鋭意検討を重ねた結果、以下に示す発明の諸態様に想到した。
【００１１】
本発明に係る液晶表示装置は、複数の画素を有する光透過型の液晶表示手段と、複数の光照射手段と、前記液晶表示手段における１つの画素に複数対応付けられ、前記複数の光照射手段からの光を互いに異なる方向に屈折させて前記１つの画素に照射する複数の光屈折手段と、前記光照射手段の点灯と消灯を制御する光照射制御手段と、を有することを特徴とする。
【００１２】
本発明に係る電子機器は、上記の液晶表示装置を含むことを特徴とする。
【発明の効果】
【００１３】
本発明によれば、画素毎に複数の光屈折手段が対応付けられ、また、これらの光屈折手段が複数の光照射手段からの光を互いに異なる方向に屈折させるので、１つの画素から複数の方向に互いに異なる光を出射することができる。このため、水平解像度を低下させることなく、複数の画像を複数の方向に表示することができる。
【発明を実施するための最良の形態】
【００１４】
以下、本発明の実施形態について添付の図面を参照して具体的に説明する。
【００１５】
（第１の実施形態）
先ず、本発明の第１の実施形態について説明する。図１は、本発明の第１の実施形態に係るカメラの回路構成を示すブロック図である。
【００１６】
図１において、１は光電変換素子（撮像手段）として機能するＣＣＤ、２はＣＣＤ１の出力信号を映像信号へ変換する相関二重サンプリング回路（以下、ＣＤＳ）である。３はＣＤＳ２からのアナログ信号をデジタル信号へ変換するアナログ・デジタル変換器（以下、Ａ／Ｄ変換器）である。４は色信号処理及び輝度信号処理等の各種信号処理を行うデジタル信号処理回路（以下、ＤＳＰ）、５はＣＣＤ１の水平転送部を駆動するＣＣＤ水平転送駆動回路（以下、ＨＤｒ）である。６はＣＣＤ１の垂直転送部を駆動するＣＣＤ垂直転送駆動回路（以下、ＶＤｒ）、７は基準同期信号を入力し、この基準信号によりＣＣＤ１の駆動及び信号処理に必要な各種パルスを生成するタイミングジェネレータ（以下、ＴＧ）である。８はシステム全体を制御するＣＰＵ、９はフォーカス用レンズを駆動するレンズ駆動回路、１０はフォーカス用レンズ、１１は絞り及びシャッタを駆動する絞り駆動回路である。１２はＣＣＤ１への入射光量を制御するとともに露光時間を制御する絞り兼シャッタである。
【００１７】
また、１３は２段階ストロークで構成されるレリーズスイッチ、１４は各種スイッチで構成される操作部材である。１５は基準信号発生回路であり、メインクロック、水平同期信号（以下、ＨＤ）及び垂直同期信号（以下、ＶＤ）を発生して、ＣＰＵ８及びＴＧ７を動作させる機能と共に、時計機能を有する。１６は液晶表示装置を駆動するＬＣＤドライバ回路（以下、ＬＣＤＤｒ）、１７は被写体像をモニターするとともに、カメラの諸情報を表示する液晶表示装置（以下、ＬＣＤ）である。１８はデータを一時的に記憶するメモリ回路（以下、ＲＡＭ）、１９は着脱式メモリとデータ送受するインターフェース回路（以下、Ｉ／Ｆ）、２０は画像データを保存する着脱式メモリである。
【００１８】
２１はフラッシュメモリ回路（以下、ＦＲＯＭ）であり、システムプログラムを格納し、また、カメラのステータスを一時的に記憶し、データ書き込み、読み出し、保持動作が可能である。２２は画像データ等の受け渡しを行うデータバスライン、２３は音声信号処理を行うオーディオアンプ回路、２４は電気信号を音声信号へ変換するスピーカである。２５は表示装置として機能するＬＥＤ、２６は照明装置として機能するストロボである。
【００１９】
次に、上記の回路構成におけるカメラの動作について説明する。この動作の内容は、プログラムコードとして、ＦＲＯＭ２１に格納されており、ＣＰＵ８によって読み出されて実行される。
【００２０】
被写体像は撮影レンズ１０を通し、絞り兼シャッタ１２により光量を調節され、ＣＣＤ１へ結像される。ＣＣＤ１は光電変換により被写体像を電気信号へ変換し、ＣＣＤ信号としてＣＤＳ２へ出力する。基準信号発生回路１５で生成されるメインクロック、ＨＤ、及びＶＤはＴＧ７へ出力される。ＴＧ７は、これらの信号を基準にＣＣＤ水平転送パルス、ＣＣＤ垂直転送パルス、ＣＣＤフィールドシフトパルス、電子シャッタパルス、及びＯＢクランプパルスを生成する。そして、ＣＣＤ水平転送パルスはＨＤｒ５へ、ＣＣＤ垂直転送パルス、ＣＣＤフィールドシフトパルス及び電子シャッタパルスはＶＤｒ６へ、ＯＢクランプパルスはＣＤＳ２へ、それぞれ出力される。ＶＤｒ６は、ＴＧ７から出力されるＣＣＤ垂直転送用パルス及びＣＣＤフィールドシフトパルスを入力する。そして、これらを組み合わせ、ＣＣＤ１の垂直転送部を十分に駆動できる信号振幅と周波数特性を保持した３値（Ｈ（高電位），Ｍ（中電位），Ｌ（低電位）のレベル）の信号に変換し、ＣＣＤ１の垂直転送駆動部へ出力する。
【００２１】
ＣＣＤ１はこれらの信号を受け、フィールドシフトパルスに相当する“Ｈ”レベルの信号を入力した時に、ＣＣＤ１のフォトダイオードに蓄積された電荷を垂直転送部へ出力する。垂直転送部へ出力された電荷は、ＣＣＤ垂直転送パルスの４相２値（Ｍ、Ｌレベル）駆動により、バケツリレー方式で垂直転送路上を順序正しく水平転送路へと転送される。また、電子シャッタパルスはＶＤｒ６でＣＣＤ１を十分に駆動できる信号振幅に変換された後にＣＣＤ１へ出力され、ＣＣＤ１での電荷蓄積時間（露光量）を制御する。ＣＣＤ１は電子シャッタパルスを入力している期間はフォトダイオードの電荷をクリアーし続け、電子シャッタパルスが停止した直後から露光状態となる。露光終了は絞り兼シャッタ１２を閉動作し、外光を遮断することにより行われる。
【００２２】
ＨＤｒ５はＴＧ７から出力されるＣＣＤ水平転送パルスを入力し、ＣＣＤ１の水平転送部を十分に駆動できる信号振幅及び周波数特性を保持した信号に変換して、ＣＣＤ１の水平転送部へ出力する。リセットゲートパルスはＴＧ７から直接ＣＣＤ１へ出力され、ＣＣＤ１の出力ゲート部を一定電位に固定して電荷電位変換を行う。ＣＣＤ１はこれら水平転送パルス及びリセットゲートパルス信号を入力することにより、バケツリレー方式により水平転送部の電荷を出力アンプへ転送する。転送された電荷は出力アンプを通して、被写体像をＣＣＤ信号としてＣＤＳ２へ出力される。
【００２３】
ＣＤＳ２はＣＣＤ信号を入力し、ＣＣＤ出力信号のフィードスルー部とデータ部とのレベル差から映像信号を生成する。この過程でＣＣＤ信号に含まれる低周波雑音を除去することができる。そして、この信号の基準部（ＣＣＤ１内の遮光されたフォトダイオード部分（以下、ＯＢ部）、フォトダイオードが形成されずにダミー信号部分を基準部とみなす場合もある）を新たな直流バイアスに設定し直す（直流再生、以下、クランプ）。そして、可変利得増幅機能により所望の感度が得られるように映像信号を増幅し、Ａ／Ｄ変換器３へ出力する。
【００２４】
Ａ／Ｄ変換器３はＣＤＳ出力の映像信号を入力し、この信号をアナログ信号からデジタル信号（例えば１０ビット信号）へと変換し、ＤＳＰ４へ出力する。Ａ／Ｄ変換器３の出力は上記のＯＢ部を常に一定の値（例えばフルレンジ１０２４ＬＳＢ中の３２ＬＳＢ）に固定するように設定する。従って、映像信号は３２から１０２３ＬＳＢの中で表現されることになる。
【００２５】
ＤＳＰ４はデジタルに変換された映像信号を入力し、信号処理により輝度信号及び色信号を再生する。また、映像信号を利用して露出制御に用いられる基準信号、ホワイトバランス制御に用いられる基準信号、フォーカス制御に用いられる基準信号を生成する。ＤＳＰ４で処理された画像データは、データバスライン２２を通して、ＲＡＭ１８に一時的に蓄積される。ＤＳＰ４によりこの画像データは、ＬＣＤ１７が表示する際に用いることができるデータ（一般的にＲ，Ｇ，Ｂ又はＹ，ＲＹ，ＢＹ等の形式）へ変換され、ＬＣＤＤｒ１６へ出力される。ＬＣＤＤｒ１６は接続されるＬＣＤ１７に合致したデータへの変換（一般的にＲ，Ｇ，Ｂ）を行うと共に、ＬＣＤ１７を適切に駆動できる信号振幅に変換し、該ＬＣＤ１７へこの信号を出力する。
【００２６】
レリーズスイッチ１３が１段階押下されると、フォーカス制御及び露出制御が行われ、ＬＣＤファインダにおいてピント及び露出が適正にあった被写体像がモニターされて構図が決定される。レリーズスイッチ１３がさらに１段階押下されると、静止画像の取得が行われる。静止画像記録時には、デジタルに変換された映像信号から、ＤＳＰ４において輝度信号及び色信号が再生され、このデータがＲＡＭ１８に一時的に蓄積される。そして、ＤＳＰ４においてＲＡＭ１８から取り込まれた画像データを可逆的又は非可逆的な画像符号化データ（ここでは一般的なＪＰＥＧファイル形式、以下、ＪＰＥＧデータ）へ変換する。その後は、外部インターフェース１９を通して、着脱式のメモリ（一般的にＣＦカードやＳＤカード）２０へＪＰＥＧファイルとして画像ファイルが蓄積される。
【００２７】
次に、液晶表示装置１７について詳細に説明する。図２は液晶表示装置１７の構成を示す模式図である。なお、図２では、本実施形態の特徴的な部分を認識しやすくするために、一画素の部分を拡大して示している。
【００２８】
この液晶表示装置１７には、光透過型の液晶表示パネル（液晶表示手段）５１並びに２つの光源（光照射手段）５５及び５６が設けられており、また、一画素毎に、２つのプリズム（光屈折手段）５２及び５３、並びに２つの反射板５９及び６０が設けられている。つまり、液晶表示パネル５１の各画素に対応して、プリズム５２及び５３、並びに反射板５９及び６０が設けられている。更に、プリズム５２及び５３と、反射板５９及び６０との間には、カラーフィルタ５４が配置されている。液晶表示パネル５１では、液晶層が２枚のガラス基板により挟み込まれており、更に、液晶層を構成する液晶を制御する薄膜トランジスタ（ＴＦＴ基板）、透明電極、及び配光膜が設けられている。反射板５９は光源５５から照射された光をカラーフィルタ５４に向けて反射し、反射板６０は光源５６から照射された光をカラーフィルタ５４に向けて反射する。プリズム５２は、反射板５９により反射されカラーフィルタ５４を透過してきた光を、液晶表示パネル５１の表示面に垂直な方向から傾斜した方向Ａに向けて屈折させる。プリズム５３は、反射板６０により反射されカラーフィルタ５４を透過してきた光を、液晶表示パネル５１の表示面に垂直な方向から傾斜した方向Ｂに向けて屈折させる。つまり、本実施形態では、反射板５９により、光源５５から照射された光がプリズム５２へと誘導され、反射板６０により、光源５６から照射された光がプリズム５３へと誘導される。なお、カラーフィルタ５４には、一画素につき、青、赤又は緑のいずれかが配色されている。例えばＲＧＢのストライプフィルタで色を構成するのであれば、隣り合う連続の３画素で青、赤、緑が配色され、この３画素の並びが連続して繰り返し配色されている。本実施形態には、更に、光源５５を制御する光源駆動回路（光照射制御手段）５７、光源５６を制御する光源駆動回路（光照射制御手段）５８、及び液晶表示パネル５１（特に薄膜トランジスタ）を駆動する液晶ドライバ回路（駆動手段）６１が設けられている。
【００２９】
このように、本実施形態には、一画素につき相違した配光特性を有する複数のプリズムが設けられている。
【００３０】
次に、図３を参照しながら光の入射角と屈折角との関係について説明する。
【００３１】
図３に示すように、屈折率が相違する２種類の物体の界面に方向ｉから光が入射し、当該界面において方向Ｒに屈折した場合の光の入射角ｉと屈折角ｒとの関係は幾何光学から次式（１）で表される。
ｓｉｎ  ｉ／ｓｉｎ  ｒ＝ｎ      （１）
ここで、ｎは物質の屈折率である。また、一般に、ガラスの屈折率は１．５２から１．７６である。
【００３２】
従って、プリズム５２の光が出射される面（出射面）の勾配、即ち反射板５９から光が入射される面（入射面）と出射面とのなす角度θ、及びプリズム５２の屈折率ｎを選択すれば、方向Ａに導かれる光の特性（配光特性）を自由に制御することが可能である。同様に、プリズム５３の光が出射される面（出射面）の勾配、即ち反射板６０から光が入射される面（入射面）と出射面とのなす角度θ、及びプリズム５３の屈折率ｎを選択すれば、方向Ｂに導かれる光の特性（配光特性）を自由に制御することが可能である。
【００３３】
なお、方向Ａ及び方向Ｂは、液晶表示パネル５１の表示面に垂直な方向を挟んで対称であってもよく、対称からずれていてもよい。つまり、プリズム５２及び５３の配光角が一致していても、相違していてもよい。
【００３４】
次に、図４〜図７を参照しながら、光源駆動回路５７及び５８を用いて光源５５及び５６を制御する方法について説明する。図４において、上段は、液晶ドライバ回路６１から液晶表示パネル５１へ出力される画像信号の内容を示し、中段は、光源５５の点灯／消灯のタイミングを示し、下段は、光源５６の点灯／消灯のタイミングを示している。また、方向Ａに表示しようとする画像を画像Ａとし、方向Ｂに表示しようとする画像を画像Ｂとする。画像Ａ、Ｂともに表示期間は１フィールドである。
【００３５】
先ず、第１の制御方法について説明する。第１の制御方法では、２種類の画像を互いに異なる方向に表示させる。
【００３６】
この制御方法では、図４に示すように、液晶ドライバ回路６１が、例えば、画像Ａと画像Ｂとを交互に１フィールド毎に更新しながら液晶表示パネル５１に出力する。つまり、液晶ドライバ回路６１は、液晶表示パネル５１を駆動する際に基づく画像データとして、画像Ａのデータと画像Ｂのデータとを順次切り替える。
【００３７】
その一方で、光源駆動回路５７は、画像Ａが液晶ドライバ回路６１から液晶表示パネル５１に出力されている期間、即ち画像Ａが液晶表示パネル５１に表示される期間においてのみ、光源５５を点灯させ、それ以外の期間では光源５５を消灯する。また、光源駆動回路５８は、画像Ｂが液晶ドライバ回路６１から液晶表示パネル５１に出力されている期間、即ち画像Ｂが液晶表示パネル５１に表示される期間においてのみ、光源５６を点灯させ、それ以外の期間では光源５６を消灯する。つまり、光源駆動回路５７及び５８は、点灯する光源を、液晶ドライバ回路６１の動作に同期して順次切り替える。
【００３８】
これらの制御の組み合わせにより、画像Ａが液晶ドライバ回路６１から液晶表示パネル５１に出力されている期間、即ち画像Ａが液晶表示パネル５１に表示される期間においては、光源５５が点灯し、光源５６が消灯する。従って、画像Ａの表示期間では、光源５５、反射板５９及びプリズム５２の配光により、画像Ａが方向Ａへ導かれると共に、方向Ａへの光源５６からの光の漏れを抑えられる。また、この期間では、液晶表示パネル５１に画像Ｂが出力されることはない。この結果、画像Ａと画像Ｂとの重なりが防止される。
【００３９】
同様に、画像Ｂが液晶ドライバ回路６１から液晶表示パネル５１に出力されている期間、即ち画像Ｂが液晶表示パネル５１に表示される期間においては、光源５６が点灯し、光源５５が消灯する。従って、画像Ｂの表示期間では、光源５６、反射板６０及びプリズム５３の配光により、画像Ｂが方向Ｂへ導かれると共に、方向Ｂへの光源５５からの光の漏れを抑えられる。また、この期間では、液晶表示パネル５１に画像Ａが出力されることはない。この結果、画像Ａと画像Ｂとの重なりが防止される。
【００４０】
このように、この制御方法では、画像Ａ及び画像Ｂが面順次に表示され、画像Ａ用の光源５５と画像Ｂ用の光源５６がフィールド毎にＯＮ／ＯＦＦし、光源５５及び光源５６が同時に点灯する期間はない。
【００４１】
そして、方向Ａに画像Ａが表示されている期間では、すべての画素でプリズム５２に光が導光され、方向Ｂに画像Ｂを表示されている期間では、すべての画素でプリズム５３に光が導光されるため、画像の水平解像度が低下することもない。
【００４２】
次に、第２の制御方法について説明する。第２の制御方法では、１種類の画像を特定の方向のみに表示させる。
【００４３】
この制御方法では、図５に示すように、液晶ドライバ回路６１が、例えば、画像Ａのみを１フィールド毎に更新しながら液晶表示パネル５１に出力する。
【００４４】
その一方で、光源駆動回路５７及び５８は、画像Ａが液晶ドライバ回路６１から液晶表示パネル５１に出力され始めると、光源５５及び５６を点灯させ、この点灯の状態を維持する。
【００４５】
これらの制御の組み合わせにより、画像Ａが液晶ドライバ回路６１から液晶表示パネル５１に出力されている期間、即ち画像Ａが液晶表示パネル５１に表示される期間においては、光源５５及び５６が常に点灯している。従って、画像Ａの表示期間では、光源５５、反射板５９及びプリズム５２の配光により、画像Ａが方向Ａへ導かれると共に、光源５６、反射板６０及びプリズム５３の配光により、画像Ａが方向Ｂへも導かれる。この結果、方向Ａ及び方向Ｂの両方向において、同一の画像Ａを視認することが可能となり、水平解像度、時間分解能を低下させることなく、広い視野角を得ることができる。また、第１の制御方法と比較すると、画像Ａのフィールドレートが２倍になっている。また、画像Ａの表示期間では、液晶表示パネル５１に画像Ｂが出力されることはない。この結果、画像Ａと画像Ｂとの重なりが防止される。
【００４６】
次に、第３の制御方法について説明する。第３の制御方法でも、１種類の画像を特定の方向のみに表示させる。
【００４７】
この制御方法でも、図６に示すように、液晶ドライバ回路６１が、例えば、画像Ａのみを１フィールド毎に更新しながら液晶表示パネル５１に出力する。
【００４８】
その一方で、光源駆動回路５７は、画像Ａが液晶ドライバ回路６１から液晶表示パネル５１に出力され始めると、光源５５を点灯させ、この点灯の状態を維持する。また、光源駆動回路５８は、光源５６を常に消灯の状態に維持する。
【００４９】
これらの制御の組み合わせにより、画像Ａが液晶ドライバ回路６１から液晶表示パネル５１に出力されている期間、即ち画像Ａが液晶表示パネル５１に表示される期間においては、常に、光源５５が点灯しており、光源５６が消灯している。従って、画像Ａの表示期間では、光源５５、反射板５９及びプリズム５２の配光により、画像Ａが方向Ａへ導かれると共に、方向Ａへの光源５６からの光の漏れは生じない。また、この期間では、液晶表示パネル５１に画像Ｂが出力されることはない。この結果、画像Ａと画像Ｂとの重なりが防止される。更に、第２の制御方法と比較すると、光源５６を常に消灯状態としているため、消費電力を低減することができる。
【００５０】
次に、第４の制御方法について説明する。第４の制御方法でも、１種類の画像を特定の方向のみに表示させる。
【００５１】
この制御方法でも、図７に示すように、液晶ドライバ回路６１が、例えば、画像Ａのみを１フィールド毎に更新しながら液晶表示パネル５１に出力する。
【００５２】
その一方で、光源駆動回路５７は、画像Ａが液晶ドライバ回路６１から液晶表示パネル５１に出力されている期間、即ち画像Ａが液晶表示パネル５１に表示される期間においてのみ、光源５５を点灯させ、それ以外の期間では光源５５を消灯する。また、光源駆動回路５８は、光源５６を常に消灯の状態に維持する。
【００５３】
これらの制御の組み合わせにより、画像Ａが液晶ドライバ回路６１から液晶表示パネル５１に出力されている期間、即ち画像Ａが液晶表示パネル５１に表示される期間においては、常に、光源５５が点灯しており、光源５６が消灯している。従って、画像Ａの表示期間では、光源５５、反射板５９及びプリズム５２の配光により、画像Ａが方向Ａへ導かれると共に、方向Ａへの光源５６からの光の漏れは生じない。また、この期間では、液晶表示パネル５１に画像Ｂが出力されることはない。この結果、画像Ａと画像Ｂとの重なりが防止される。更に、第３の制御方法と比較すると、光源５５を点灯している期間が短縮されるため、消費電力を低減することができる。
【００５４】
このような第１の実施形態によれば、複数の方向に互いに異なる画像を表示することが可能になる。この結果、複数の方向から、相違した画像をそれぞれ認識することが可能なる。また、この表示に際し、水平解像度が低下することはなく、また、光の漏れに伴う像の重なり、つまり画像の混在が軽減される。更に、認識させる方向へのみ光源を点灯させれば、消費電力を低減することも可能である。また、複数の方向に同一の画像を表示させることも可能であり、この場合には、広い視野角を得ることが可能となる。
【００５５】
（第２の実施形態）
次に、本発明の第２の実施形態について説明する。上述のように、第１の実施形態によれば、複数の方向に互いに異なる画像を表示することが可能になる。そこで、互いに異なる画像として、ある画像を回転させただけの画像を複数の方向に表示すれば、各方向から天地が整った画像を視認することが可能となる。第２の実施形態では、このような画像の回転の制御のために、次のような動作を行う。なお、この動作の内容は、プログラムコードとして、ＦＲＯＭ２１に格納されており、ＣＰＵ８によって読み出されて実行される。図８は、第２の実施形態に係るカメラの動作の一部を示すフローチャートである。
【００５６】
操作部材１４により電源スイッチが投入されると、ＣＰＵ８が電源をＯＮにする（ステップＳ１）。
【００５７】
次いで、ＣＰＵ８は、操作部材１４により動作モードとして再生モードが選択されているかを判断する（ステップＳ２）。
【００５８】
そして、再生モードが選択されている場合には、ステップＳ３へ移行し、操作部材１４により天地反転モードが選択されているかを判断する。天地反転モードとは、詳細は後述するが、ある画像とこれを１８０°回転させた画像とを交互に１フィールド毎に更新しながら表示するモードである。従って、例えば、複数の視認者が、カメラ（液晶表示パネル５１）の天側及び地側から視認しようとする場合に選択される。
【００５９】
天地反転モードが選択されている場合には、ステップＳ４へ移行し、１フィールド毎に画像を反転する信号処理を行い、更に、ステップＳ５において、天地反転モード用の光源制御を行う。なお、ステップＳ５の処理は、図４に示すタイミングチャートに準じたものであるが、その詳細及び画像を反転する信号処理の詳細については後述する。
【００６０】
一方、ステップＳ２において再生モードが選択されていない場合（例えば撮影モードが選択されている場合）、及びステップＳ３において天地反転モードが選択されていない場合には、ステップＳ７へ移行する。ステップＳ７では、１フィールド毎に同一の画像を出力する信号処理を行う。
【００６１】
ステップＳ７の後、ＣＰＵ８は、操作部材１４により、片方向モードが選択されているかを判断する（ステップＳ８）。
【００６２】
そして、片方向モードが選択されている場合は、ステップＳ９へ移行し、片方向モード用の光源制御を行う。一方、片方向モードが選択されていない場合は、ステップＳ１０へ移行し、全方向モード用の光源制御を行う。なお、ステップＳ９の処理（片方向モード）は、図６又は図７に示すタイミングチャートに準じたものであり、ステップＳ１０の処理（全方向モード）は、図５に示すタイミングチャートに準じたものである。
【００６３】
ステップＳ５、Ｓ９及びＳ１０の後、ＣＰＵ８は、電源スイッチが押されて電源ＯＦＦが指示されているかを判断する（ステップＳ６）。
【００６４】
そして、電源ＯＦＦが指示されている場合には、電源をＯＦＦにして処理を終了する（ステップＳ１１）。一方、電源スイッチ状態に変化がなければ、ＣＰＵ８はステップＳ２の処理を行い、ステップＳ２〜Ｓ６の処理を繰り返す。
【００６５】
次に、ステップＳ４及びＳ７における画像の反転処理について説明する。図９は、液晶表示パネル５１に出力される画像のメモリーマップの一例を示す図である。
【００６６】
液晶表示パネル５１に出力される画像のデータは、信号処理の過程でＲＡＭ１８に一時的に保存される。ＤＳＰ４により読み出される画像データは、ＬＣＤ１７が表示する際に用いることができるデータ（一般的にＲ，Ｇ，Ｂ又はＹ，ＲＹ，ＢＹ等の形式）へ変換され、ＬＣＤＤｒ１６へ出力される。ＬＣＤＤｒ１６は接続されるＬＣＤ１７に合致したデータへの変換（一般的にＲ，Ｇ，Ｂ）を行うと共に、ＬＣＤ１７を適切に駆動できる信号振幅に変換し、該ＬＣＤ１７へこの信号を出力する。ＲＡＭ１８には概念的に画像データが、図９に示すようにアドレスされて蓄積され、このＲＡＭ１８から、ある規則に基づいてデータが読み出される。
【００６７】
例えば、片方向モード又は全方向モードでは、ＣＰＵ８は、ＲＡＭ１８から、アドレス（１，１）を始点として、行１を列１から１ずつインクリメントしたアドレスデータを読み出す。そして、ＣＰＵ８は、列の最終アドレス（１．３０）まで到達すると、行を１つインクリメントしたアドレス（２，１）へ移行し、ここから再び列を１ずつインクリメントしたアドレスデータを読み出す。ＣＰＵ８は、これらの繰り返しにより、アドレス（最終行，最終列）（図９では（２６，３０））のデータまでの読み出しを行う。ステップＳ７では、このような読み出しが行われる。
【００６８】
一方、天地反転モードでは、逆に、ＣＰＵ８は、アドレス（最終行，最終列）のデータから読み出しを行い、次に列を１つデクリメントしたアドレスデータ（２６，２９）を読み出す。そして、ＣＰＵ８は、列の先頭アドレス（２６，１）まで読み出し終えると、行を１つデクリメントしたアドレス（２５，３０）へ移行し、ここから再び列を１ずつデクリメントしたアドレスデータを読み出す。ＣＰＵ８は、これらの繰り返しにより、アドレス（先頭行，先頭列）（図９では（１，１））のデータまでの読み出しを行う。ステップＳ４では、このような読み出しが行われる。この結果、片方向モード又は全方向モード時の画像とは１８０°回転させた画像、即ち片方向モード又は全方向モード時の画像を反転させた画像が得られる。
【００６９】
次に、ステップＳ５における光源制御の方法について説明する。図１０Ａは、ステップＳ５における光源制御の方法を示すタイミングチャートである。また、図１０Ｂは、天地反転モード時に表示される画像の例を示す図である。
【００７０】
この制御方法では、液晶ドライバ回路６１が、例えば、画像Ａと画像Ｂとを交互に１フィールド毎に更新しながら液晶表示パネル５１に出力する。このとき、液晶ドライバ回路６１は、画像Ｂとして、画像Ａを１８０°回転させた画像を出力する。
【００７１】
その一方で、光源駆動回路５７は、画像Ａが液晶ドライバ回路６１から液晶表示パネル５１に出力されている期間においてのみ、光源５５を点灯させ、それ以外の期間では光源５５を消灯する。また、光源駆動回路５８は、画像Ｂ（画像Ａの反転画像）が液晶ドライバ回路６１から液晶表示パネル５１に出力されている期間においてのみ、光源５６を点灯させ、それ以外の期間では光源５６を消灯する。
【００７２】
これらの制御の組み合わせにより、画像Ａが液晶ドライバ回路６１から液晶表示パネル５１に出力されている期間においては、画像Ａが方向Ａへ導かれる。同様に、画像Ｂ（画像Ａの反転画像）が液晶ドライバ回路６１から液晶表示パネル５１に出力されている期間においては、画像Ｂが方向Ｂへ導かれる。
【００７３】
従って、プリズム５２及び５３の配置等により、方向Ａを地側からの視認方向、方向Ｂを天側からの視認方向に設定しておけば、図１０Ｂに示すように、両方向から天地が整った画像Ａを視認することが可能となる。
【００７４】
次に、ステップＳ１０における光源制御の方法について説明する。図１１Ａは、ステップＳ１０における光源制御の方法を示すタイミングチャートである。また、図１１Ｂ及び図１１Ｃは、全方向モード時に表示される画像の例を示す図である。
【００７５】
この制御方法では、液晶ドライバ回路６１が、例えば、画像Ａのみを１フィールド毎に更新しながら液晶表示パネル５１に出力する。
【００７６】
その一方で、光源駆動回路５７及び５８は、画像Ａが液晶ドライバ回路６１から液晶表示パネル５１に出力され始めると、光源５５及び５６を点灯させ、この点灯の状態を維持する。
【００７７】
これらの制御の組み合わせにより、画像Ａが液晶ドライバ回路６１から液晶表示パネル５１に出力されている期間においては、画像Ａが方向Ａ及び方向Ｂへ導かれる。この結果、図１１Ｂに示すように、方向Ａ及び方向Ｂの両方向において、同一の画像Ａを視認することが可能となる。従って、広い視野角が確保される。但し、図１１Ｃに示すように、天側から視認される画像は、天地が逆転したものとなる。
【００７８】
次に、ステップＳ９における光源制御の方法について説明する。図１２Ａは、ステップＳ９における光源制御の方法を示すタイミングチャートである。また、図１２Ｂは、片方向モード時に表示される画像の例を示す図である。
【００７９】
この制御方法でも、液晶ドライバ回路６１が、例えば、画像Ａのみを１フィールド毎に更新しながら液晶表示パネル５１に出力する。
【００８０】
その一方で、光源駆動回路５７及び５８は、画像Ａが液晶ドライバ回路６１から液晶表示パネル５１に出力され始めると、光源５５を点灯させ、この点灯の状態を維持する。また、光源駆動回路５８は、光源５６を常に消灯の状態に維持する。
【００８１】
これらの制御の組み合わせにより、画像Ａが液晶ドライバ回路６１から液晶表示パネル５１に出力されている期間においては、画像Ａが方向Ａへ導かれる。一方、方向Ｂへ導かれる画像はない。従って、消費電力を低減することができる。また、他方向からの他人による覗き込みを防止することも可能である。
【００８２】
このような第２の実施形態によれば、互いに異なる方向から、同一の画像を同一の向きで視認することができる。つまり、画像を見る位置に関係なく、同じ状態の画像を視認することが可能である。また、視認する人がいない方向への配光を遮断することができるため、消費電力を低減することも可能である。
【００８３】
なお、第１及び第２の実施形態では、配光の方向を２方向としているが、３方向以上としてもよい。従って、表示される画像を３以上としてもよく、また、同一の画像を同一の向きで視認可能とする方向を３以上としてもよい。
【００８４】
また、液晶表示装置はカメラに具備されている必要はなく、携帯電話又は携帯型テレビ等の他の電子機器に具備されていてもよい。
【００８５】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フレキシブルディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００８６】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００８７】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００８８】
【図１】本発明の第１の実施形態に係るカメラの回路構成を示すブロック図である。
【図２】液晶表示装置１７の構成を示す模式図である。
【図３】光の入射角と屈折角との関係を示す模式図である。
【図４】第１の制御方法を示すタイミングチャートである。
【図５】第２の制御方法を示すタイミングチャートである。
【図６】第３の制御方法を示すタイミングチャートである。
【図７】第４の制御方法を示すタイミングチャートである。
【図８】第２の実施形態に係るカメラの動作の一部を示すフローチャートである。
【図９】液晶表示パネル５１に出力される画像のメモリーマップの一例を示す図である。
【図１０Ａ】ステップＳ５における光源制御の方法を示すタイミングチャートである。
【図１０Ｂ】天地反転モード時に表示される画像の例を示す図である。
【図１１Ａ】ステップＳ１０における光源制御の方法を示すタイミングチャートである。
【図１１Ｂ】全方向モード時に表示される画像の例を示す図である。
【図１１Ｃ】同じく、全方向モード時に表示される画像の例を示す図である。
【図１２Ａ】ステップＳ９における光源制御の方法を示すタイミングチャートである。
【図１２Ｂ】片方向モード時に表示される画像の例を示す図である。
【図１３】特許文献１に記載の表示装置を示す模式図である。
【符号の説明】
【００８９】
５１：液晶表示パネル
５２、５３：プリズム
５４：カラーフィルタ
５５、５６：光源
５７、５８：光源駆動回路
５９、６０：反射板
６１：液晶ドライバ回路
【図１】
2009271440.tif 000003
【図２】
2009271440.tif 000004
【図３】
2009271440.tif 000005
【図４】
2009271440.tif 000006
【図５】
2009271440.tif 000007
【図６】
2009271440.tif 000008
【図７】
2009271440.tif 000009
【図８】
2009271440.tif 000010
【図９】
2009271440.tif 000011
【図１０Ａ】
2009271440.tif 000012
【図１０Ｂ】
2009271440.tif 000013
【図１１Ａ】
2009271440.tif 000014
【図１１Ｂ】
2009271440.tif 000015
【図１１Ｃ】
2009271440.tif 000016
【図１２Ａ】
2009271440.tif 000017
【図１２Ｂ】
2009271440.tif 000018
【図１３】
2009271440.tif 000019